(57)【要約】【課題】導電バーの導電バー及び送り端子部に作業者が誤って触れることによる感電や、導電バー間及び送り端子部間に異物が接触することによる短絡を防止することができる住宅用分電盤を提供する。【解決手段】主幹ブレーカ３と複数の分岐ブレーカ４とを電気的に接続する導電バー５の端部に設けられる送り端子部７に樹脂製の端子カバー８を設ける。端子カバー８は送り端子部７に接続される電線が干渉しないようにして送り端子部７の前面及び上下右側面を覆うように形成されている。端子カバー８は導電バー５の右側から挿入して固定部８ｂを導電バーの支持部材９に係止させて取り付け、更に端子カバー９の前面の係止突起８ｃに負荷名称表示板６の一端を係止させて固定する。【選択図】図１
2010263682.tif 000002
【特許請求の範囲】
【請求項１】
主幹ブレーカと複数の分岐ブレーカとを導電バーにより接続し、前記導電バーの端部に送り端子部を設けた住宅用分電盤において、前記送り端子部を覆うように端子カバーを設けたことを特徴とする住宅用分電盤。
【請求項２】
前記端子カバーの内側に前記導電バー間に挿入される凸部を設けたことを特徴とする請求項１に記載の住宅用分電盤。
【請求項３】
前記導電バーの前面に設けられて前記分岐ブレーカの負荷名称を表示する負荷名称表示板の一端を前記端子カバーに係止するようにしたことを特徴とする請求項１又は請求項２に記載の住宅用分電盤。
【発明の詳細な説明】
【技術分野】
【０００１】
本発明は、住宅用分電盤の導電バーの端部に設けられる送り端子部に関する。
【背景技術】
【０００２】
従来、住宅用分電盤は基台上に主幹ブレーカと複数の分岐ブレーカが配設され、主幹ブレーカと複数の分岐ブレーカは導電バーにより電気的に接続されている。この導電バーは主幹ブレーカの二次側端子に接続されて主幹ブレーカの右側に延びるように設けられ、導電バーの上下に沿って分岐ブレーカが並設され、主幹ブレーカと反対側の端部が最右端の分岐ブレーカよりも突設されて送り端子部が設けられている。そして、導電バーと送り端子部の前面を覆うようにして分岐ブレーカの負荷名称を表示した負荷名称表示板が着脱自在に設けられていた（例えば、特許文献１参照。）。
【先行技術文献】
【特許文献】
【０００３】
【特許文献１】特開２００７−２２８６４７号公報（図１，図２）
【発明の概要】
【発明が解決しようとする課題】
【０００４】
このように負荷名称表示板が導電バーと送り端子部の前面側しか覆わず、導電バーの上側と下側は分岐ブレーカが取り付けられるため露出しないが、送り端子部は上側、下側、右側が露出するため、導電バーや送り端子部に作業者が誤って触れて感電したり、導電バー間や送り端子部間に異物が接触して短絡する虞があった。また、負荷名称表示板は送り端子部の前面も覆うように大きく形成しなければならなかった。
【課題を解決するための手段】
【０００５】
請求項１に記載の発明によれば、主幹ブレーカと複数の分岐ブレーカとを導電バーにより接続し、前記導電バーの端部に送り端子部を設けた住宅用分電盤において、前記送り端子部を覆うように端子カバーを設けたことを特徴とする住宅用分電盤。
【０００６】
請求項２に記載の発明によれば、前記端子カバーの内側に前記導電バー間に挿入される凸部を設けたことを特徴とする請求項１に記載の住宅用分電盤。
【０００７】
請求項３に記載の発明によれば、前記導電バーの前面に設けられて前記分岐ブレーカの負荷名称を表示する負荷名称表示板の一端を前記端子カバーに係止するようにしたことを特徴とする請求項１又は請求項２に記載の住宅用分電盤。
【発明の効果】
【０００８】
請求項１に記載の発明によれば、導電バー及び送り端子部に作業者が誤って触れることによる感電や、導電バー間及び送り端子部間に異物が接触することによる短絡を防止することができ、また、負荷名称表示板は送り端子部を覆わなくてもいいので小さくすることができるという効果がある。
【０００９】
請求項２に記載の発明によれば、請求項１に記載の発明の効果に加えて、端子カバー取り付け時に凸部がガイドになって端子カバーをスムーズに装着することができるとともに、端子カバーのがたつきを防ぎ、また、導電バー間への異物の進入を確実に防止することができるという効果がある。
【００１０】
請求項３に記載の発明によれば、請求項１又は請求項２に記載の発明の効果に加えて、端子カバーが確実に取り付けられていなければ負荷名称表示板が取り付けできないので負荷名称表示板を取り付けることで端子カバーが確実に取り付けられていることを確認でき、また、負荷名称表示板を外さなければ端子カバーが外せないので端子カバーが不用意に外れるのを防止することができるという効果がある。
【図面の簡単な説明】
【００１１】
【図１】本発明に係る住宅用分電盤を示し、カバーを取り外した状態の斜視図である。
【図２】負荷名称表示板と端子カバーを取り外した状態の住宅用分電盤を示す正面図である。
【図３】端子カバーを示し、（ａ）は正面図、（ｂ）は左側面図、（ｃ）は右側面図、（ｄ）は平面図、（ｅ）は底面図、（ｆ）は背面図である。
【図４】端子カバーを取り付けた状態の住宅用分電盤を示す正面図である。
【図５】端子カバーをとりつけた状態の住宅用分電盤を示す底面図である。
【図６】端子カバーと負荷名称表示板を取り付けた状態の住宅用分電盤を示す正面図である。
【図７】端子カバーと負荷名称表示板を取り付けた状態の住宅用分電盤を示す底面図である。
【図８】端子カバーと負荷名称表示板を取り付けた状態の住宅用分電盤を示す平面図である。
【発明を実施するための形態】
【００１２】
住宅用分電盤は、主幹ブレーカと複数の分岐ブレーカとを導電バーにより接続し、導電バーの端部には送り端子部を設け、分岐ブレーカの負荷名称を表示する負荷名称表示板を導電バーの前面を覆うように設けた住宅用分電盤において、送り端子部の前面及び上下右側面を覆うように端子カバーを設け、端子カバーに負荷名称表示板の一端を着脱自在に固定する。
【実施例１】
【００１３】
本発明に係る住宅用分電盤の実施例１を図１〜図８の添付図面に基づいて説明する。
【００１４】
住宅用分電盤１は基台２上に主幹ブレーカ３と複数の分岐ブレーカ４が配設され、主幹ブレーカ３と分岐ブレーカ４は導電バー５により電気的に接続され、分岐ブレーカ４の負荷名称を表示する負荷名称表示板６により導電バーの５前面が被覆された上、基台２がカバー（図示せず）で被覆されて構成されている。
【００１５】
導電バー５は主幹ブレーカ３の二次側端子に接続され、前後方向に３段に平行配置され、主幹ブレーカ３の右側に延びるように設けられている。そして、導電バー５を挟んで上下に複数の分岐ブレーカ４が並設され、分岐ブレーカ４から各負荷回路に電気が分配供給されるようになっている。
【００１６】
更に導電バー５は主幹ブレーカ３と反対側の端部が最右端の分岐ブレーカ４よりも突設され、突設された部位に端子ねじが螺着されて送り端子部７が設けられている。
【００１７】
送り端子部７は樹脂製の端子カバー８が設けられる。端子カバー８は送り端子部７に接続される電線（図示せず）に干渉しない形状にして送り端子部７の上側、下側、右側、前面側を覆うように形成され、内側面に導電バー５間に挿入される凸部８ａと、導電バー５を支持するための支持部材９に係止する固定部８ｂとが形成されている。また、端子カバー８の前面には負荷名称表示板６が係止する係止突起８ｃが突設されている。
【００１８】
このように形成された端子カバー８は負荷名称表示板６が取り付けられていない状態で取り付けられる。端子カバー８は凸部８ａが導電バー５間に嵌まるように導電バー５の右側から挿入し、固定部８ｂの爪が支持部材９に係止することで固定される。凸部８ａは端子カバー８の挿入時にガイドとなるので挿入が容易にでき、また、端子カバー８の取り付け後は端子カバー８の前後のがたつきを防止するとともに、導電バー５間への異物の進入を防止する。
【００１９】
それから、端子カバー８に負荷名称表示板６が取り付けられる。負荷名称表示板６は一端に端子カバー８の係止突起８ｃに対向する係止孔６ａが形成され、他端に導電バー５の前面に設けられた係止部材１０の爪に係止する係止受部６ｂが形成されている。
【００２０】
負荷名称表示板６は一端の係止孔６ａを端子カバー８の係止突起８ｃに係止させ、係止を軸に回動させて負荷名称表示板６の裏面を分岐ブレーカ４前面のくぼみ部４ａに押し当てることで負荷名称表示板６の係止受部６ｂが係止部材１０の爪に係止して着脱自在に取り付けることができる。
【００２１】
このとき、端子カバー８が確実に取り付けられていなければ負荷名称表示板６が取り付けできないので負荷名称表示板６が取り付けられることで端子カバー８が確実に取り付けられていることを確認できる。
【００２２】
端子カバー８を取り外すには取り付けと逆の手順により行う。即ち、負荷名称表示板６の他端側を手前に引いて係止受部６ｂの係止を解除し、一端側の係止孔６ａと端子カバー８の係止突起８ｃとの係止を解除して負荷名称表示板６を取り外したあと、端子カバー８を右側に引っ張ることで固定部８ｂの爪と支持部材９との係止が解除して取り外すことができる。
【００２３】
このように端子カバー８は負荷名称表示板６を取り外した後でなければ取り外すことができないので端子カバー８は不用意に外れることがない。
【００２４】
尚、本実施例において、端子カバーに係止突起を設け、負荷名称表示板に係止孔を設け、係止突起と係止孔が係止するように形成したが、逆に端子カバーに係止孔を形成し、負荷名称表示板に係止突起を形成するなど端子カバーと負荷名称表示板との係止構造について限定はなく、また、端子カバーの取付構造についても本発明の趣旨を逸脱しない範囲で適宜に変更して実施することも可能である。
【符号の説明】
【００２５】
１    住宅用分電盤
２    基台
３    主幹ブレーカ
４    分岐ブレーカ
４ａ    くぼみ部
５    導電バー
６    負荷名称表示板
６ａ    係止孔
６ｂ    係止受部
７    送り端子部
８    端子カバー
８ａ    凸部
８ｂ    固定部
８ｃ    係止突起
９    支持部材
１０    係止部材
【図１】
2010263682.tif 000003
【図２】
2010263682.tif 000004
【図３】
2010263682.tif 000005
【図４】
2010263682.tif 000006
【図５】
2010263682.tif 000007
【図６】
2010263682.tif 000008
【図７】
2010263682.tif 000009
【図８】
2010263682.tif 000010